(57)【要約】【課題】閉時のシールが確実で、温度制御の信頼性が高いダンパー装置を提供する。【解決手段】フレーム部４の開口部５を開閉するバッフル６と、バッフル６を駆動する駆動部２を具備したダンパー装置１において、バッフル６は、ソフトテープ１１を貼り付ける平板部６ａと、駆動部２の回転軸７と係合し回動するための係合部８と、フレーム４と係合し回動を支持する軸部９と、回動中心軸１０を具備する構成とし、係合部８と軸部９を接続し、平板部６ａから平行に延びる平行リブ１２を回動中心軸１０方向に設けたものである。これにより、バッフル６の回転方向のねじれに対する強度の向上がはかれ、特に全閉時のシール性を確実なものとすることができる。【選択図】図３
2011012871.tif 000002
【特許請求の範囲】
【請求項１】
開口部を有する樹脂製のフレームと、前記開口部を開閉する樹脂製のバッフルと、前記バッフルの前記開口部に対向する面に貼り付けられた緩衝部材と、前記バッフルを駆動する駆動部を具備したダンパー装置において、前記バッフルは、前記緩衝部材を貼り付けるための平板部と、前記駆動部の回転軸と係合し回動するための係合部と、前記フレームと係合し回動を支持する軸部と、前記係合部と前記軸部を結ぶ回動中心軸を具備する構成とし、前記係合部と前記軸部を接続し、前記平板部から平行に延びる平行リブを前記回動中心軸方向に設けたダンパー装置。
【請求項２】
前記係合部と前記軸部を接続し、前記平板部に直角な直角リブを、前記回動中心軸方向に設けた請求項１に記載のダンパー装置。
【請求項３】
前記回動中心軸に対して直角方向に、前記平行リブと前記直角リブを接続する横リブを設けた請求項２に記載のダンパー装置
【請求項４】
前記直角リブを前記平行リブの両面に複数本設け、前記横リブを、前記複数の直角リブをつなぐように設けた請求項３に記載のダンパー装置
【請求項５】
断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した風路と、前記温調室、もしくは前記風路に設けられた送風機と、前記風路に設けられたダンパー装置を具備する構成とし、前記ダンパー装置を、請求項１から４のいずれか一項に記載のダンパー装置とした物品貯蔵装置。
【発明の詳細な説明】
【技術分野】
【０００１】
本発明は、開口部をバッフルにより開閉させるダンパー装置において、物品貯蔵装置に設けられ、特に冷蔵庫等の内部の冷風の風路を開閉して温度を調整するダンパー装置、およびそれを具備する物品貯蔵装置に関するものである。
【背景技術】
【０００２】
従来から冷蔵庫庫内にある複数の冷蔵室温度を制御する手段として、冷却器から各冷蔵室へ通じる冷気の風路をバッフルにて開閉し、各冷蔵室に流入する冷気量を制御するダンパー装置が採用されている。これらは大別して、一つの駆動源により一つのバッフルを動作させる方式と、一つの駆動源により二つのバッフルを動作させる方式がある。
【０００３】
前記一つの駆動源により一つのバッフルを動作させる方式は、モータの回転制御により一つの開口部を開閉動作させるものである（例えば、特許文献１参照）。
【０００４】
図６から図９は、特許文献１に記載されたダンパー装置を示すもので、図６は同ダンパー装置の断面図、図７は同ダンパー装置を裏から見た背面図、図８は同ダンパー装置の正面図、図９は同ダンパー装置を図６の矢印Ｃ方向から見た一部断面の平面図である。
【０００５】
図６から図９に示すように、このダンパー装置１０１は、樹脂製のフレーム１０２と、フレーム１０２に設けられた開口部１０３と、開口部１０３を形成する開口形成部１０２ａと、開口部１０３の周囲に設けられた突出部１０２ｂと、開口部１０３を開閉する樹脂製のバッフル１０４と、バッフル１０４に貼り付けられたソフトテープ（緩衝部材）１０５と、フレーム１０２の側面に配置されたバッフル１０４を開閉動作させる駆動部１０６とから構成されている。
【０００６】
ここで、駆動部１０６には、モータ（図示せず）と、前記モータの回転を減速し、バッフル１０４に連結された回転軸１０７に伝達する減速機構（図示せず）が内蔵されている。
【０００７】
また、バッフル１０４は、ソフトテープ１０５を貼り付けるための平板部１０４ａと、駆動部１０６の回転軸１０７と係合し、回転軸１０７の回転をバッフル１０４に伝える係合部１０４ｂと、フレーム１０２に回転自在に支持されている軸部１０４ｃと、平面部１０４ａに設けた四角形状のリブ１０４ｄと、同じく平板部１０４ａに設けた斜めリブ１０４ｅと、斜めリブ１０４ｅとリブ１０４ｄを切り欠いた水抜き部１０４ｆを具備している。
【０００８】
そして、ダンパー装置１０１は、駆動部１０６に内蔵されたモータの駆動によってバッフル１０４が所定角度の範囲で正逆転方向に回転することにより、開口部１０２が開閉され、気流の流通あるいは遮断を制御することができる構成となっている。
【０００９】
そして、閉時は、ソフトテープ１０５に抗してフレーム１０２の突出部１０２ｂが沈み込むことによりシール性を確保し、気流の遮断を確実なものとしている。
【先行技術文献】
【特許文献】
【００１０】
【特許文献１】特開２００３−３２２４５５号公報
【発明の概要】
【発明が解決しようとする課題】
【００１１】
しかしながら、上記従来の構成では、バッフル１０４の係合部１０４ｂと軸部１０４ｃの間は回転方向のねじれに対する十分な強度が確保できる構造ではなく、特に水抜き孔１０４ｆの付近は強度が弱く、開口部１０３を閉じる際にソフトテープ１０５に抗して突出部１０２ｂが沈み込むことにより、バッフル１０４の回転を阻止しようとする力が発生し、それに抗してバッフル１０４を回転した場合、バッフル１０４がねじれによる変形をおこし、バッフル１０４の回転軸側の突出部１０２ｂの沈み込み量Ｙは確保されるものの、バッフル１０４の回転軸の反対側の沈み込み量Ｘが確保できず、気流の漏れが発生しやすい構成であった。
【００１２】
また、リブ１０４ｄと斜めリブ１０４ｅは平板部１０４ａの片面に設けられており、樹脂成形の際に反りが発生しやすい形状であり、シール性の確保が困難な構成であった。
【００１３】
さらには、水抜き穴１０４ｆを設けたことにより、仮にバッフル１０４に霜や結露が発生した場合、フレーム１０２の内部に水が流れ、フレーム１０２の内側に水が溜まりやすく、その水が、フレーム１０２の内部で氷結した際は、突出部１０２ｂとソフトテープ１０５が氷結し、バッフル１０４が開かなくなるという悪影響の恐れがあった。
【００１４】
特に、かかるダンパー装置１０１を冷蔵庫等の冷気制御に用いた場合は、庫内の温度を確実に制御することができなくなるという課題を有していた。
【００１５】
本発明は、上記従来の課題を解決するもので、バッフルの閉時のシール性を確実なものとし、さらに、冷蔵庫等の気流制御に用いた場合であっても、信頼性が高い温度制御が行なえるダンパー装置を提供することを目的とする。
【００１６】
さらに、かかるダンパー装置の動作を確実にして、信頼性を高めた物品貯蔵装置を提供することを目的とするものである。
【課題を解決するための手段】
【００１７】
上記従来の課題を解決するために、本発明のダンパー装置は、ダンパー装置を構成する樹脂製のバッフルを、緩衝部材を貼り付けるための平板部と、駆動部の回転軸と係合し回動するための係合部と、前記フレームと係合し回動を支持する軸部とからなる回転軸を具備する構成とし、前記係合部と前記軸部を接続し、前記平面部から平行に延びる平行リブを回転軸方向に設けた構成としたものである。
【００１８】
かかることにより、バッフルの回転軸のねじれに対する強度の向上が図れ、バッフルの閉時のシール性を確実なものにすることができる。
【発明の効果】
【００１９】
本発明のダンパー装置は、バッフルの全閉時におけるシール性を確実なものとし、信頼性を高めることができるものである。また、そのダンパー装置を冷蔵庫等の物品貯蔵装置の温度制御用として用いた場合、信頼性の高い温度制御作用を得ることができるものである。
【図面の簡単な説明】
【００２０】
【図１】本発明の実施の形態１におけるダンパー装置の正面図
【図２】同ダンパー装置を裏から見た背面図
【図３】同ダンパー装置における図１のＡ−Ａ線による断面を含む側面図
【図４】同ダンパー装置を図２のＢ方向から見た一部を断面で表す平面図
【図５】本発明の実施の形態２における物品貯蔵装置の構成を示す模式図
【図６】従来技術を示すダンパー装置の断面図
【図７】同ダンパー装置を裏から見た背面図
【図８】同ダンパー装置の正面図
【図９】同ダンパー装置を図６のＣ方向から見た一部断面の平面図
【発明を実施するための形態】
【００２１】
請求項１に記載の発明は、開口部を有する樹脂製のフレームと、前記開口部を開閉する樹脂製のバッフルと、前記バッフルの前記開口部に対向する面に貼り付けられた緩衝部材と、前記バッフルを駆動する駆動部を具備したダンパー装置において、前記バッフルは、前記緩衝部材を貼り付けるための平板部と、前記駆動部の回転軸と係合し回動するための係合部と、前記フレームと係合し回動を支持する軸部と、前記係合部と前記軸部を結ぶ回動中心軸を具備する構成とし、前記係合部と前記軸部を接続し、前記平板部から平行に延びる平行リブを前記回動中心軸方向に設けたものである。
【００２２】
これによって、前記バッフルの回転方向のねじれに対する強度の向上をはかることができる。
【００２３】
したがって、前記バッフルの全閉状態におけるシール性が確保でき、冷蔵庫等の物品貯蔵装置に組込んだ場合、信頼性の高い温度制御作用を得ることができるものである
請求項２に記載の発明は、請求項１に記載の発明において、前記係合部と前記軸部を接続し、前記平板部に直角な直角リブを、前記回動中心軸方向に設けたものである。
【００２４】
これによって、前記バッフルを樹脂成形にて製造する際の金型構造を複雑な構造とすることがなく、前記バッフルの回転方向のねじれに対する強度と前記平板部と直角な方向のたわみに対する強度を向上することができる。
【００２５】
請求項３に記載の発明は、請求項２に記載の発明において、前記回動中心軸に対して直角方向に、前記平行リブと前記直角リブを接続する横リブを設けたものである。
【００２６】
これによって、前記平行リブと前記直角リブの補強ができる。その結果、前記バッフルの回転方向のねじれに対する更なる強度の向上がはかれ、また逆に、前記リブの厚みもしくは高さを少なくすることができるので、前記バッフルの材料費を抑制することができる。
【００２７】
請求項４に記載の発明は、請求項３に記載の発明において、前記直角リブを前記平行リブの両面に複数本設け、前記横リブを、前記複数の直角リブをつなぐように設けたものである。
【００２８】
これによって、前記バッフルの回転方向のねじれに対する強度を向上することができるとともに、前記直角リブの１本に前記緩衝部材を貼り付ける際の位置決め機能をもたせることができ、前記緩衝部材の位置ずれによる閉時の漏れの防止をはかることができる。
【００２９】
請求項５に記載の発明は、断熱空間で形成される物品貯蔵室と、圧縮機、凝縮器、減圧装置、蒸発器を、配管を介して環状に連結した冷凍サイクルと、前記蒸発器もしくは凝縮器による温調気流を前記物品貯蔵室内に送り込む送風手段を具備した貯蔵装置において、前記送風手段を、一端が前記凝縮器、もしくは蒸発器を配置した温調室に開口し、他端が前記物品貯蔵室に開口した風路と、前記温調室、もしくは前記風路に設けられた送風機と、前記風路に設けられたダンパー装置を具備する構成とし、前記ダンパー装置を、請求項１から４のいずれか一項に記載のダンパー装置とした物品貯蔵装置である。
【００３０】
かかる構成により、閉時のシール性の信頼性が高く、品質が安定したダンパー装置であることから、収納空間への空気の供給・停止が安定して行え、特に空気の供給停止時は、バッフルにより閉塞されたフレームの開口部からの空気の漏れが抑制され、安定した温度管理等が行える信頼性の高い物品貯蔵装置を提供することができるものである。
【００３１】
以下、本発明の実施の形態について説明する。なお、この実施の形態によって本発明が限定されるものではない。
【００３２】
（実施の形態１）
図１は、本発明の実施の形態１におけるダンパー装置の正面図、図２は同ダンパー装置を裏側から見た背面図、図３は、同ダンパー装置における図１のＡ−Ａ線による断面を含む側面図、図４は、同ダンパー装置における図２のＢ方向から見た一部を断面で表す平面図である。
【００３３】
図１から図４において、ダンパー装置１は、内部に減速機構等を具備するギヤードタイプのモータ、前記モータの出力軸に設けられた出力歯車、前記出力歯車に噛み合い、前記モータの回転を減速出力する減速機構等（いずれも図示せず）を具備した駆動部２と、駆動部２を取付ける取付け部３と、取付け部３と直角方向に延出したフレーム部４を具備した構成である。
【００３４】
ここで、駆動部２は、電源接続用のハーネス部２ａが設けられており、また、駆動部２の減速出力構造は、周知の構成でよいため、ここでは詳細な説明を省略する。
【００３５】
取付け部３とフレーム部４は、樹脂材料からなり、金型成形加工によって形成される。そして、フレーム部４は、所定の幅寸法で取付け部３を含み矩形の４辺を形成する如く、一対の長手側壁部４ａ、４ｂと、短手側壁部４ｃを具備している。また、短手側壁部の他方は、取付け部３が兼ねている。さらに、フレーム部４には、前記４辺で形成される空間面内において、略中央部に大きく矩形の開口部５を具備した板状の開口形成部４ｄが一体に設けられている。
【００３６】
開口形成部４ｄは、前記長手、短手の各側壁部４ａ、４ｂ、４ｃの端部に設けられており、したがって、各側壁部４ａ、４ｂ、４ｃの片側が、開口形成部４ｄから延出した形状となっている。
【００３７】
さらに、取付け部３と短手側壁部４ｃの間には、開口部５を開閉するための樹脂材料からなるバッフル６が取付けられている。具体的には、バッフル６の一端の片側に設けられ、かつ駆動部２より延出した回転軸７に係合する穴部８ａを有する円柱形状の係合部８と、反対側に設けられ、かつフレーム４の壁部４ｃに設けた穴部４ｅによって回転自在に支持される凸部９ａを有する円柱形状の軸部９からなる回動中心軸１０により軸支されている。
【００３８】
また、バッフル６には、弾性を有するソフトテープ（緩衝部材）１１を貼り付けるための平板部６ａを設けており、平板部６ａの開口形成部４ｄと対向する面に、ソフトテープ１１を貼り付け、バッフル６の全閉状態においては、ソフトテープ１１によって開口部５が塞がれるように構成されている。ここで、ソフトテープ１１は、平板部６ａの外周に設けられた位置決めリブ６ｂにより、貼付け位置が規制されている。
【００３９】
さらに、開口部５の周囲には、図３に示す如くバッフル６側に突出する突出部４ｅが一体に形成されている。したがって、バッフル６の閉塞状態においては、ソフトテープ１１
が突出部４ｅに当接し、ソフトテープ１１の弾性変形作用によって突出部４ｅの先端部をソフトテープ１１に沈み込ませることにより、バッフル６の閉塞状態のシール性を確保することができる構成となっている。
【００４０】
また、バッフル６には、回動中心軸１０を構成している円柱形状の係合部８と軸部９との間を接続し、バッフル６の平面部６ａから平行に延びる平行リブ１２が設けられている。この平行リブ１２は、係合部８および軸部９の厚みとほぼ同じ高さに形成されている。
【００４１】
さらに、バッフル６には、回動中心軸１０を構成している円柱形状の係合部８と軸部９との間を接続するように回動中心軸１０の方向に延びる直角リブ１３が複数（本実施の形態１においてはバッフル６の表裏にそれぞれ２本）設けられている。この直角リブ１３は、バッフル６の平面部６ａと直角に突出し、平行リブ１２の両面に設けられている。
【００４２】
そして、２本の直角リブ１３を接続する３本の横リブ１４が平行リブ１２の両面に設けられている。
【００４３】
以上のように構成されたダンパー装置１の動作について説明する。
【００４４】
バッフル６は、回転軸７を介して駆動部２の動力を受け、所定角度の範囲で往復回動し、開口部２を全閉状態から全開状態、全開状態から全閉状態に制御する動作を行う。また必要に応じてその途中でバッフル６の回動を停止し、流通する空気の量を制御することもできる。
【００４５】
したがって、上記構成からなるダンパー装置１は、バッフル６の回転動作により、開口部５を開閉することができるため、例えば冷蔵庫等の冷気通路内、あるいはダクト内に配置されることにより、冷気の流通（流量）を制御し、貯蔵室内の温度を略一定に維持することができる。
【００４６】
ここで、バッフル６を全開状態から全閉状態にする動作においは、バッフル６を閉方向に回転させると、先にソフトテープ１１の回動中心軸１０側が突出部４ｅと当接する。その後は、ソフトテープの弾性力に逆らった状態でバッフル６を回動させることになり、バッフル６の回動中心軸１０には回転方向にねじりの力が働くこととなる。この時、バッフル６の係合部８と軸部９を接続し、平面部６ａと平行に延びる平行リブ１２により回動中心軸１０の補強を行っているので、バッフル６の回転方向のねじれを防止でき、全閉時にバッフル６の回動中心軸１０と反対側（離れた側）の先端も突出部４ｅをソフトテープ１１に沈み込ませることができ、シール性を確保することができる。
【００４７】
また、バッフル６の係合部８と軸部９を接続し、平面部６ａに直角となるように直角リブ１３を設けた構成であるため、回転方向のねじれに対する更なる補強とともに、回動中心軸１０の平板部６ａに直角な方向のたわみに対しての補強も兼ね備えることができ、全閉時のシール性をより確実なものとすることができる。また、バッフル６を樹脂成形にて製造する際の金型構造は、スライド等の複雑な機構を用いる必要がなく、金型費を抑制することができる。
【００４８】
さらに、回動中心軸１０に対して直角方向に、平行リブ１２と直角リブ１３を接続する横リブ１４を設けたことにより、平行リブ１２と直角リブ１３の強度が向上し、回転方向のねじれに対する強度を更に向上することができる。その結果、逆に平行リブ１２および直角リブ１３の厚みおよび高さを小さくすることが可能となり、バッフル６の材料費を抑制することができる。
【００４９】
また、直角リブ１３を、平行リブ１２の両面に各２本設け、横リブ１４によって２本の直角リブ１３をつないだ構成としているため、回動中心軸１０の回転方向のねじれに対する強度と平板部６ａに直角な方向のたわみに対しての強度を確保することができる。また、２本の横リブ１４における平板部６ａ側の横リブ１４は、ソフトテープ１１を貼り付ける際の位置決め機能を兼ねることができるため、ソフトテープ１１の位置ずれによる閉時の漏れの防止をはかることができる。さらに、平板部６ａは、位置決めリブ６ｂと直角リブ１３の形成によって上下対称形状とすることができ、バッフル６の成形加工時における反りの発生を抑制し、閉時のシール性を安定させることができる。
【００５０】
以上のように、本実施の形態１におけるダンパー装置１は、全閉時のバッフル６の変形がなく、また、バッフル６は、樹脂成形時の反り発生を抑制した構成となっている。その結果、全閉時のシールを確実なものとし、高い信頼性を得ることができる。また、バッフル６の樹脂成形金型を複雑な構造とする必要がなく、材料費も抑制でき、安価なものとすることができる。
【００５１】
（実施の形態２）
図５は、本発明の実施の形態２における物品貯蔵装置の構成を示す模式図である。なお、ここでは、ダンパー装置を実施の形態１のダンパー装置とし、実施の形態１の構成要件と同様の構成要件には同一の符号を付して説明する。
【００５２】
図５において、貯蔵装置本体５１は、内部に、前面が開口し、断熱材によって囲われた第一貯蔵室５２ａ、第二貯蔵室５２ｂ、第三貯蔵室５２ｃを具備し、前面に、第一貯蔵室５２ａ、第二貯蔵室５２ｂ、第三貯蔵室５２ｃに対応して前記開口を開閉する断熱性の第一扉５３ａ、第二扉５３ｂ、第三扉５３ｃを具備している。
【００５３】
また、第一貯蔵室５２ａと第二貯蔵室５２ｂは、連絡通路５４を介して連通している。
【００５４】
さらに、貯蔵装置本体５１には、圧縮機５５、凝縮器５６、減圧装置５７、蒸発器５８を配管により環状に連結した冷凍サイクルが設けられており、蒸発器５８は、第三貯蔵室５２ｃの背面に形成した冷却室５９内に配置されている。この冷却室５９の上部には冷気を第二貯蔵室５２ｂに送るための風路６０が設けられている。また、冷却室５９内には、蒸発器５８で冷却された冷気を、積極的に第一貯蔵室５２ａ、第二貯蔵室５２ｂ、第三貯蔵室５２ｃ内へ循環させる送風機６１が設けられている。
【００５５】
さらに、風路６０には、第一貯蔵室５２ａ内への冷気の供給を制御するダンパー装置１が設けられている。このダンパー装置１は、少なくとも第一貯蔵室５２ａ内の温度をセンサー６２によって検出し、制御装置（図示せず）からの信号に基づいて風路６０の開閉、もしくは開放度合いの調整を行うものである。このダンパー装置１の開閉動作により、送風機６１による冷気の供給、もしくは供給量を制御し、第一貯蔵室５２ａ内の温度を制御する。そして、第二貯蔵室５２ｂは、連絡通路５４を介して流入した第一貯蔵室５２ａの一部の冷気によって冷却される。
【００５６】
なお、ダンパー装置１の開閉制御については、周知の動作制御でよく、また本発明の要旨と直接関係しないため、詳細な説明は省略する。
【００５７】
さらに、ダンパー装置１は、第一貯蔵室５２ａのみに限るものではなく、第二貯蔵室５２ｂ、第三貯蔵室５２ｃにも対応して設けることができ、また、制御装置による制御も、第一貯蔵室５２ａ、第二貯蔵室５２ｂ、第三貯蔵室５２ｃそれぞれに対応した周知の範囲で制御することもできる。
【００５８】
したがって、実施の形態１の構成からなるダンパー装置１を採用することにより、ダンパー装置１の全閉時のシール性を確実なものとし、収納空間への空気の供給・停止が安定して行え、特に空気の供給停止時は、バッフル６およびシールテープ１１により閉塞されたフレーム部４の開口部５からの空気の漏れが抑制され、安定した温度管理等を行ない、高い信頼性を得ることができる。
【００５９】
なお、本実施の形態２の物品貯蔵装置においては、冷却気流を第一貯蔵室５２ａ、第二貯蔵室５２ｂ、第三貯蔵室５２ｃに供給する構成としたが、温調室（冷却室５９）に凝縮器５６を配置し、温風気流を第一貯蔵室５２ａ、第二貯蔵室５２ｂ、第三貯蔵室５２ｃに供給する構成とすることもでき、また温調室（冷却室５９）に凝縮器５６と蒸発器５８を配置し、除湿された空気を第一貯蔵室５２ａ、第二貯蔵室５２ｂ、第三貯蔵室５２ｃに供給する構成とし、温風、あるいは除湿された乾燥空気の供給制御を行う機能を備えた物品貯蔵装置とすることもできる。
【産業上の利用可能性】
【００６０】
以上のように、本発明にかかるダンパー装置は、冷蔵庫等の気流制御等の如く、流体通路を開閉し、流体の供給制御を行う用途に広く適用することができる。
【符号の説明】
【００６１】
１  ダンパー装置
２  駆動部
４  フレーム
５  開口部
６  バッフル
６ａ  平板部
７  回転軸
８  係合部
９  軸部
１０  回動中心軸
１１  ソフトテープ（緩衝部材）
１２  平行リブ
１３  直角リブ
１４  横リブ
５１  貯蔵装置本体（物品貯蔵装置）
５２ａ  第一貯蔵室（物品貯蔵室）
５２ｂ  第二貯蔵室（物品貯蔵室）
５２ｃ  第三貯蔵室（物品貯蔵室）
５５  圧縮機
５６  凝縮器
５７  減圧装置
５８  蒸発器
５９  冷却室（温調室）
６０  風路
６１  送風機
【図１】
2011012871.tif 000003
【図２】
2011012871.tif 000004
【図３】
2011012871.tif 000005
【図４】
2011012871.tif 000006
【図６】
2011012871.tif 000007
【図７】
2011012871.tif 000008
【図８】
2011012871.tif 000009
【図９】
2011012871.tif 000010
【図５】
2011012871.tif 000011